(57)【要約】【課題】  回転部材の操作性が損なわれることがなく回転部材へ情報を表示する表示部材を有するレンズ装置を提供すること。【解決手段】  可動な光学要素を有するレンズ装置であり、プロジェクター部と、該プロジェクター部から投射した投射映像が投射される投射対象部材を有し、該投射対象部材が該レンズ装置の外装部材であることを特徴とする。【選択図】  図１
2020166085.tif 000002
【特許請求の範囲】
【請求項１】
可動な光学要素を有するレンズ装置であり、プロジェクター部と、該プロジェクター部から投射した投射映像が投射される投射対象部材を有し、該投射対象部材が該レンズ装置の外装部材であることを特徴とするレンズ装置。
【請求項２】
前記投射対象部材は、光軸周りで回転可能で該回転によって前記光学要素を駆動する駆動環であることを特徴とする請求項１に記載のレンズ装置。
【請求項３】
前記プロジェクター部から投射した投射映像は、前記駆動環の駆動する駆動量によって投射する映像の内容が変化することを特徴とする請求項２に記載のレンズ装置。
【請求項４】
前記レンズ装置は、固定部を有し、前記プロジェクター部は、該固定部に有することを特徴とする請求項１乃至請求項３の何れか一項に記載のレンズ装置。
【請求項５】
前記プロジェクター部は、前記固定部の任意の位置に着脱可能に固定することを特徴とする請求項４に記載のレンズ装置。
【請求項６】
請求項１乃至請求項５の何れか一項に記載のレンズ装置と、該レンズ装置による光学像を受光する撮像素子を具備するカメラ部を有する撮像装置。
【請求項７】
請求項１乃至請求項３の何れか一項に記載のレンズ装置と、前記プロジェクター部は、前記レンズ装置による光学像を受光する撮像素子を具備するカメラ部に有することを特徴とする撮影装置。
【発明の詳細な説明】
【技術分野】
【０００１】
本発明は、レンズ装置及びそれを有する撮影装置に関し、特に各種撮影情報の表示に関する。
【背景技術】
【０００２】
従来のレンズ装置はレンズの情報を表示するために、特許文献１にあるようにレンズの径差がある箇所に表示部材を配置する構造が提案されている。
【先行技術文献】
【特許文献】
【０００３】
【特許文献１】特許第４８５２５５６号公報
【発明の概要】
【発明が解決しようとする課題】
【０００４】
上記の特許文献１に開示された従来例のような表示装置をレンズ装置の回転操作する部材に配置する際に、表示部材を搭載するための体積を確保する必要があり、回転操作する部材の外径が大きくなり操作性が損なわれる。
【０００５】
そこで、本発明の目的は、回転部材の操作性が損なわれることがなく回転部材へ情報を表示する表示部材を有するレンズ装置を提供することにある。
【課題を解決するための手段】
【０００６】
上記の目的を達成するために、本発明に係るレンズ装置は、
可動な光学要素を有するレンズ装置であり、プロジェクター部と、該プロジェクター部から投射した投射映像が投射される投射対象部材を有し、該投射対象部材が該レンズ装置の外装部材であることを特徴とする。
【発明の効果】
【０００７】
本発明によれば、回転部材の操作性が損なわれることがなく回転部材へ情報を表示する表示部材を有するレンズ装置の提供を実現できる。
【図面の簡単な説明】
【０００８】
【図１】本発明の実施例１におけるレンズ装置を示したものである。
【図２】本発明の実施例１におけるレンズ装置の部分断面図である。
【図３】本発明の実施例２におけるレンズ装置を示したものである。
【図４】本発明の実施例３における撮影装置を示したものである。
【発明を実施するための形態】
【０００９】
以下、本発明を実施するための形態について、図面を参照しながら説明する。
【実施例１】
【００１０】
図１、図２を参照しながら、本実施例のレンズ装置について説明する。
【００１１】
図１は、本実施例におけるレンズ装置を示している。図２は、図１におけるＡ−Ａ断面図を示す。
【００１２】
レンズ鏡筒１ａは、撮影用レンズの一部であり、内部に不図示のレンズ群を有している。レンズ鏡筒１ａにはマウント部２４があり、マウント部２４はレンズ群の光線を結像する撮像素子を持つカメラ部と接続するものである。レンズ装置１ａのレンズ群はアイリス部、ズーム部、フォーカス部を有し、レンズ装置１ａの外径側には、アイリス、ズーム、フォーカスを回転手動操作するためのアイリス操作環３、ズーム操作環４、フォーカス操作環５を備えている。アイリス部は、アイリス操作環３の回転に機械的に連動して回転する絞り羽根ユニットである。ズーム部は、ズーム操作環４の回転に機械的に連動して回転するカム部材に応じて、レンズ群の光軸方向に前後する光学ユニットである。
【００１３】
フォーカス部は、フォーカス操作環５の回転に機械的に連動して回転するカム部材に応じて、レンズ群の光軸方向に前後する光学ユニットである。なお、それぞれのカム部材は、回転運動を直線運動に変換するネジ送りの機構であっても良い。また、上述した３つの操作環は、レンズ群と機械的な接続をする必要はなく、その回転角に応じてそれぞれの駆動を電気的に制御する電子リング方式でも良い。レンズ鏡筒１ａには、回転する操作環の他に固定部材として、後ベース部２０ａと固定筒２１、２２、２３が構成されている。後ベース部２０ａの内部には、プロジェクター部２ａを内蔵している。プロジェクター部２ａは、表示素子、光学素子、光源等から構成され、レンズ鏡筒１ａ上に映像を投射する。
【００１４】
次に、アイリス操作環３を回転操作した際のアイリス目盛７の表示方法について説明する。
【００１５】
アイリス操作環３は、外径のギア部で不図示の回転角検出部と接続している。回転角検出部は、ロータリーエンコーダー等の回転角度を検出するセンサーであり、レンズ鏡筒１ａに固定されている。回転角検出部の検出角度に応じて、レンズ鏡筒１ａ内に記憶している情報から、アイリス目盛７の情報に変換し、プロジェクター部２ａはアイリス操作環３上にアイリス目盛７情報を表示する。本実施例では、指標線６ａもプロジェクター部２ａから投射する。
【００１６】
なお、図２の断面図で示したようにアイリス操作環３の内径側や光軸前後方向には、固定筒２１、２２、２３が接近しているため、アイリス操作環３上に液晶や有機ＥＬといった情報表示ディスプレイを配置することは困難である。アイリス目盛７の表示内容については、ユーザーは任意に設定できるため、例えば表示する目盛の数の増減の実施、目盛サイズの変更、目盛と指標線の位置を任意の角度位置にずらすといった効果が得られる。また、電子リングであれば目盛間の角度設定も変更できるため、アイリス操作環３の回転角に応じたアイリス部の駆動量を任意に変更できる。本実施例では、操作環への目盛の表示について述べているが、目盛以外の例えばレンズ名称や製造番号などのレンズの諸設定情報を表示することも可能である。
【００１７】
以上述べたように、本実施例によると、アイリス操作環の外径を変えることなく、任意の表示内容を表示する表示部材を有するレンズ装置を提供することができる。
【実施例２】
【００１８】
図３を参照しながら、本実施例のレンズ装置について説明する。
【００１９】
図３は本実施例におけるレンズ装置を示している。
【００２０】
レンズ鏡筒１ｂは、実施例１のレンズ鏡筒１ａに対して、プロジェクター部２ｂとその固定方法が異なる。後ベース部２０ｂには、コネクター部２５が外径部複数ある。プロジェクター部２ｂはコネクター部２５に電気的ならびに機械的に接続するものであり、コネクター部２５の任意の位置にプロジェクター部２ｂを着脱できる。
【００２１】
次に、アイリス操作環３、ズーム操作環４を回転操作した際の目盛の表示方法について説明する。アイリス操作環３については、実施例１と同様である。
【００２２】
ズーム操作環４は、外径のギア部で回転角検出部と接続している。回転角検出部の検出角度に応じて、レンズ鏡筒１ｂ内に記憶している情報から、ズーム目盛８の情報に変換し、プロジェクター部２ｂはズーム操作環４上に情報を表示する。本実施例では、指標線６ａ、６ｂについてもプロジェクター部２ｂから投射する。ズーム目盛８の表示内容については、実施例１で述べたアイリス目盛７の表示と同様に、ユーザーによって自由に設定できる。また、プロジェクター部２ｂの位置は、後ベース部２０ｂ外径にある任意のコネクター部２５に接続できるため、操作環の操作性や目盛の視認性から自由に選択できる。
【００２３】
以上述べたように、本実施例によると、実施例１の効果に加え、ズーム操作環の外径を変えることなく、任意の表示内容を選択できる表示部材を有するレンズ装置を提供することができる。
【実施例３】
【００２４】
図４を参照しながら、本実施例の撮影装置について説明する。
【００２５】
図４は本実施例における撮影装置を示している。
【００２６】
レンズ鏡筒１ｃは、実施例２のレンズ鏡筒１ｂに対して、プロジェクター部２ｃをカメラ部５０に備えるものである。レンズ鏡筒１ｃは、マウント部２４を介してカメラ部５０と機械的ならびに電気的に着脱可能な状態で接続している。カメラ部５０は、レンズ鏡筒１ｃのレンズ群によって結像する光学像を受光する撮像素子を内蔵している。
【００２７】
次に、アイリス操作環３、ズーム操作環４、フォーカス操作環５を回転操作した際の目盛の表示方法について説明する。
【００２８】
アイリス操作環３、ズーム操作環４については、実施例１、２と同様である。フォーカス操作環５は、外径のギア部で回転角検出部と接続している。回転角検出部の検出角度に応じて、レンズ鏡筒１ｃ内に記憶している情報から、フォーカス目盛９の情報に変換し、プロジェクター部２ｃはフォーカス操作環５上に情報を表示する。本実施例では、指標線６ａ、６ｂ、６ｃについてもプロジェクター部２ｃから投射する。フォーカスの表示内容については、実施例１で述べたアイリス目盛７の表示と同様に、ユーザーによって自由に設定できる。本実施例では、操作環への目盛の表示について述べているが、目盛以外の例えばカメラ部に関わる情報についても表示をすることが可能である。
【００２９】
以上述べたように、本実施例によると、実施例２の効果に加え、フォーカス操作環の外径を変えることなく、任意の表示内容を選択できる表示部材を有するレンズ装置を提供することができる。
【００３０】
以上、本発明の好ましい実施形態について説明したが、本発明のこれらの実施形態に限定されず、その要旨の範囲で種々の変形および変更が可能である。
【００３１】
本発明は、レンズ装置及びそれを有する撮像装置に適用できる。
【符号の説明】
【００３２】
１ａ，１ｂ，１ｃ  レンズ鏡筒、２ａ，２ｂ，２ｃ  プロジェクター部、
３  アイリス操作環、４  ズーム操作環、５  フォーカス操作環、
７  アイリス目盛、８  ズーム目盛、９  フォーカス目盛
【図１】
2020166085.tif 000003
【図２】
2020166085.tif 000004
【図３】
2020166085.tif 000005
【図４】
2020166085.tif 000006